(57)【特許請求の範囲】
【請求項１】
手元操作部と、該手元操作部に挿入部を介して連結された鉗子部とからなる内視鏡用鉗子において、
前記鉗子部を構成する筒状部材の端部の内側に形成された受面に、前記挿入部の端面全面を接触させ、筒状部材の端部の外側から受面に向けてレーザ光を照射して、筒状部材の受面と挿入部の端面とを溶着することにより、挿入部と鉗子部とを接合したことを特徴とする内視鏡用鉗子。
【請求項２】
前記挿入部は密着コイルばねで構成され、該密着コイルばねの端面は、その端面全面が前記筒状部材の受面に接触するように研磨加工されていることを特徴とする請求項１記載の内視鏡用鉗子。
【発明の詳細な説明】
【０００１】
【発明の属する技術分野】
本発明は、内視鏡の鉗子孔から挿入されて使用される生検鉗子等の内視鏡用鉗子に関する。
【０００２】
【従来の技術】
特公平７−２８８５４号公報には、内視鏡用鉗子の挿入部と鉗子部とをレーザ光によって接合した内視鏡用鉗子が開示されている。この内視鏡用鉗子によれば、鉗子部を構成する筒状部材に、挿入部を構成する密着コイルばねの端部を挿入した後、筒状部材の外周面からレーザ光を照射することにより、挿入部と鉗子部とを溶着して接合している。
【０００３】
【発明が解決しようとする課題】
しかしながら、前記特公平７−２８８５４号公報に開示された内視鏡用鉗子は、患者の体に接触する筒状部材の外周面に、レーザ光の熱で溶けた凹凸面ができるので、この凹凸面を平坦に加工するための二次加工が必要になる場合があった。
【０００４】
本発明はこのような事情に鑑みてなされたもので、挿入部と鉗子部とを手間をかけずに接合することができる内視鏡用鉗子を提供することを目的とする。
【０００５】
【課題を解決するための手段】
本発明は、前記目的を達成するために、手元操作部と、該手元操作部に挿入部を介して連結された鉗子部とからなる内視鏡用鉗子において、前記鉗子部を構成する筒状部材の端部の内側に形成された受面に、前記挿入部の端面全面を接触させ、筒状部材の端部の外側から受面に向けてレーザ光を照射して、筒状部材の受面と挿入部の端面とを溶着することにより、挿入部と鉗子部とを接合したことを特徴とする。
【０００６】
本発明によれば、筒状部材の端部に形成された受面に、挿入部の端面全面を接触させ、筒状部材の端部にレーザ光を照射し、筒状部材の受面と挿入部の端面とを溶着する。この場合、筒状部材の端部には、レーザ光の熱で溶けた凹凸面ができるが、筒状部材の端部は、患者の体に接触する部分ではないので、その凹凸面を平坦に加工する必要はない。これにより、本発明によれば、凹凸面を平坦加工するための二次加工が不要になるので、挿入部と鉗子部とを手間をかけずに接合することができる。また、本発明は、筒状部材の受面に挿入部の端面全面を接触させて溶接するので、溶接効率が向上する。
【０００７】
前記挿入部を密着コイルばねで構成した場合には、密着コイルばねの端面全面が筒状部材の受面に接触するように、密着コイルばねの端面を研磨加工する。これにより、密着コイルばねの端面全面が筒状部材の受面に接触するので、溶接効率が向上する。
【０００８】
【発明の実施の形態】
以下添付図面に従って本発明に係る内視鏡用鉗子の好ましい実施の形態について詳説する。
図１は、本発明の内視鏡用鉗子が適用された生検鉗子１０の正面図である。同図に示す生検鉗子１０は、術者が操作時に使用する手元操作部１２、内視鏡の鉗子孔等に挿入される挿入部１４、及び鉗子部１６から構成されている。
【０００９】
前記手元操作部１２には軸状体１８が設けられ、この軸状体１８は、筒状に形成された操作子２０に摺動自在に挿入されている。前記操作子２０の、上下端部にはフランジ２２、２４が形成されており、前記操作子２０の内部には、半径方向にビス（図示せず）が設けられ、このビスは軸状体１８内に摺動自在に配置されたスライダ（図示せず）にねじ込まれている。これによって、操作子２０とスライダとが一体に連結されている。前記スライダには、操作ワイヤ２６の基端部が固定され、この操作ワイヤ２６の先端部は鉗子部１６に連結されている。
【００１０】
前記軸状体１８の上端部には、リング状の指掛け部２８が形成されている。この指掛け部２８には、操作時において、術者の親指が挿通され、この状態で人指し指と中指を操作子２０のフランジ２２とフランジ２４との間に挿入した後、操作子２０が押し引き操作されるようになっている。操作子２０が操作されると、前記スライダ及び操作ワイヤ２６を介して連結された前記鉗子部１６が作動される。
【００１１】
前記手元操作部１２は、その外周部が可撓性を有する密着コイルばね３０で形成されている。この密着コイルばね３０の基端部は、前記軸状体１８の下端部に固着されている。密着コイルばね３０の内部には、前記操作ワイヤ２６が挿通され、密着コイルばね３０の先端部は、鉗子部１６を構成する略筒状に形成された鉗子部本体（筒状部材に相当）３２に接合されている。
【００１２】
前記鉗子部１６は図２に示すように、操作ワイヤ２６の先端部に連結される連結ブロック３４を備え、この連結ブロック３４にはピン３６を介してリンク３８、４０が回動自在に支持されている。このリンク３８、４０の他端にはピン４２、４４を介して略くの字状に形成された鉗子片４６、４８が連結されている。前記鉗子片４６、４８は、その重なり部において、ピン５０を介して鉗子部本体３２に軸支されている。したがって、前記鉗子部１６の鉗子片４６、４８は、図１の操作子２０が上下移動され、操作ワイヤ２６が押し込み、又は引き込み操作されることにより、図２のピン５０を中心に互いに逆方向に回動され、開閉操作される。
【００１３】
前記密着コイルばね３０と鉗子部本体３２との接合方法について説明すると、図３に示すように密着コイルばね３０の先端面（座巻部）５１は、その面全体が、鉗子部本体３２の端部３２Ａの内側に形成された受面５２に接触するように研磨加工されている。また、先端面５１全面が、前記受面５２に接触されたことは、端部３２Ａのコーナ部に開口された観察窓３３から確認することができる。
【００１４】
接合の際には、まず、前記先端面５１全面を鉗子部本体３２の受面５２に接触させる。そして、端部３２Ａの外側から受面５２に向けてＣＯ2 レーザをスポット、又は連続的に照射することにより、鉗子部本体３２の受面５２と密着コイルばね３０の先端面５１とを溶着する。これにより、密着コイルばね３０と鉗子部本体３２とが接合される。
【００１５】
本実施の形態の接合方法では、鉗子部本体３２の端部３２Ａに、ＣＯ2 レーザの熱で溶けた凹凸面ができるが、鉗子部本体３２の端部３２Ａは、患者の体に接触する部分ではないので、その凹凸面を平坦に加工する必要はない。したがって、前記接合方法によれば、端部３２Ａにできた凹凸面を平坦加工するための二次加工が不要になるので、密着コイルばね３０と鉗子部本体３２とを手間をかけずに接合することができる。
【００１６】
また、本実施の形態では、密着コイルばね３０の先端面５１を前述したように研磨加工しているので、密着コイルばね３０と鉗子部本体３２との溶接効率が向上する。なお、スポット溶接する場合には、密着コイルばね３０の座巻部のうち肉厚の厚い部分を２箇所選択し、この部分に向けてＣＯ2 レーザを照射すればよい。また、溶接に使用するレーザはＣＯ2 レーザに限定されるものではなく、ＹＡＧレーザでもよい。要するに、密着コイルばね３０や鉗子部本体３２の厚み、材料等を考慮して、それに適当なレーザを選択すればよい。また、レーザによる溶接後に、密着コイルばね３０と鉗子部本体３２とを半田５４で接合すれば、密着コイルばね３０と鉗子部本体３２とをより一層強固に接合することができる。
【００１７】
更に、本実施の形態では、生検鉗子１０の密着コイルばね３０と鉗子本体部３２との接合方法について説明したが、これに限られるものではなく、他の鉗子に本発明を適用してもよい。
また、本実施の形態では、挿入部として密着コイルばね３０を例示したが、これに限られるものではなく、可撓性があって鉗子部本体３２とレーザ溶接することができるものであれば適用することができる。
【００１８】
【発明の効果】
以上説明したように、本発明に係る内視鏡用鉗子によれば、筒状部材の端部に形成された受面に、挿入部の端面全面を接触させ、筒状部材の端部にレーザ光を照射し、筒状部材の受面と挿入部の端面とを溶着するようにしたので、挿入部と鉗子部とを手間をかけずに接合することができるとともに、溶接効率が向上する。
【図面の簡単な説明】
【図１】本実施の形態の生検鉗子の全体図
【図２】図１に示した生検鉗子の鉗子部の断面図
【図３】図２に示した鉗子部と密着コイルばねとの接合方法を示す拡大断面図
【符号の説明】
１０…生検鉗子、３０…密着コイルばね、３２…鉗子部本体、３３…観察窓、５１…密着コイルばねの先端面、５２…鉗子部本体の受面
【図１】
0004110288.tif 000002
【図２】
0004110288.tif 000003
【図３】
0004110288.tif 000004